(57)【要約】【課題】カメラで撮影した画像データを、コンピュータ端末でもデジタルカメラでも閲覧可能とする情報記録媒体及び画像データの記録方法並びに画像データ記録プログラムの提供。【解決手段】未現像ネガフィルム６から読み取った画像データと、スライド表示に際して再生される楽曲音声データと、画像データをスライド表示するスライドショープログラム及び画像データをデジタルカメラ用に変換して第２の情報記録媒体８に記録するデータ記録プログラムとが第１の情報記録媒体５に記録されるものであり、顧客２は、コンピュータ端末２ａでは第１の情報記録媒体５を用いて画像データをＢＧＭ付きスライドショーとして閲覧することができ、コンピュータ端末２ａが設置されていない場所ではデータ記録プログラムを用いて第２の情報記録媒体８を作成し、デジタルカメラ９を用いて画像データを閲覧することができる。【選択図】図１
2004104675.tif 000002
【特許請求の範囲】
【請求項１】
画像データと、コンピュータを、前記画像データを前記コンピュータで表示される条件に基づいて他の画像再生装置で再生可能な形式に変換し、変換された前記画像データを該画像再生装置に装着可能な情報記録媒体に記録する手段として機能させる画像データ記録プログラムとが記録されていることを特徴とするコンピュータで読み取り可能な情報記録媒体。
【請求項２】
画像データと、コンピュータを、表示手段により前記画像データを基にした画像をスライド表示させる手段として機能させるスライドショープログラムと、コンピュータを、前記画像データを前記コンピュータで表示される条件に基づいて他の画像再生装置で再生可能な形式に変換し、変換された前記画像データを該画像再生装置に装着可能な情報記録媒体に記録する手段として機能させる画像データ記録プログラムとが記録されていることを特徴とするコンピュータで読み取り可能な情報記録媒体。
【請求項３】
画像データと、楽曲音声データと、コンピュータを、表示手段により前記画像データを基にした画像をスライド表示させ、かつスピーカーにより前記スライド表示と同時に前記楽曲音声データを基にした楽曲音声を発声させる手段として機能させるスライドショープログラムと、コンピュータを、前記画像データを前記コンピュータで表示される条件に基づいて他の画像再生装置で再生可能な形式に変換し、変換された前記画像データを該画像再生装置に装着可能な情報記録媒体に記録する手段として機能させる画像データ記録プログラムとが記録されていることを特徴とするコンピュータで読み取り可能な情報記録媒体。
【請求項４】
前記画像再生装置で再生可能な形式は、該画像再生装置に適合するデータフォーマット、データサイズ、画素数、ディレクトリ構造のいずれか一を含むことを特徴とする請求項１乃至３のいずれか一に記載の情報記録媒体。
【請求項５】
前記画像データは、フィルムをスキャンして得られたものであり、前記画像再生装置はデジタルカメラ又はデジタルカメラ機能を備えた携帯機器であることを特徴とする請求項１乃至４のいずれか一に記載の情報記録媒体。
【請求項６】
コンピュータで読み取り可能な第１の情報記録媒体に記録されている画像データ記録プログラムを用いて、該第１の情報記録媒体に記録されている画像データを、前記コンピュータで表示される条件に基づいて、他の画像再生装置で再生可能な形式に変換し、該画像再生装置に装着可能な第２の情報記録媒体に記録することを特徴とする画像データの記録方法。
【請求項７】
前記画像再生装置で再生可能な形式は、該画像再生装置に適合するデータフォーマット、データサイズ、画素数、ディレクトリ構造のいずれか一を含むことを特徴とする請求項６記載の画像データの記録方法。
【請求項８】
前記画像データは、フィルムをスキャンして得られたものであり、前記画像再生装置はデジタルカメラ又はデジタルカメラ機能を備えた携帯機器であることを特徴とする請求項６又は７に記載の画像データの記録方法。
【請求項９】
コンピュータを、
第１の情報記録媒体から画像データを読み取る手段、
表示手段により前記画像データを基にした画像をスライド表示させる手段、
前記画像データを、前記コンピュータで表示される条件に基づいて、他の画像再生装置で再生可能な形式に変換する手段、
変換された前記画像データを該画像再生装置に装着可能な第２の情報記録媒体に記録する手段として機能させるためのプログラム。
【請求項１０】
コンピュータを、
第１の情報記録媒体から画像データ及び楽曲音声データを読み取る手段、
表示手段により前記画像データを基にした画像をスライド表示させ、かつスピーカーにより前記スライド表示と同時に前記楽曲音声データを基にした楽曲音声を発声させる手段、
前記画像データを、前記コンピュータで表示される条件に基づいて、画像再生装置で再生可能な形式に変換する手段、
変換された前記画像データを該画像再生装置に装着可能な情報記録媒体に記録する手段として機能させるためのプログラム。
【請求項１１】
前記画像再生装置で再生可能な形式は、該画像再生装置に適合するデータフォーマット、データサイズ、ディレクトリ構造のいずれか一を含むことを特徴とする請求項９又は１０に記載のプログラム。
【発明の詳細な説明】
【０００１】
【発明の属する技術分野】
本発明は、パソコン等のコンピュータ端末及びデジタルカメラ等の画像表示装置で画像データを再生させるための情報記録媒体及び画像データの記録方法並びに画像データ記録プログラムに関する。
【０００２】
【従来の技術】
近年、フィルムカメラで撮影した写真をデジタル画像データとして取り扱う顧客が増加しており、それに伴って各種サービスが提供されるようになってきている。例えば、ラボ等のフォトサービス店舗やコンビニエンスストア等の注文店舗に撮影したフィルムを持ち込むと、フォトサービス店舗ではフィルムを現像した後、ネガフィルムをスキャナ等で読み取り、読み取った画像データをＣＤ−Ｒ等の情報記録媒体に書き込むといったサービスが行われている。また、店舗内に無人サービス端末を設置し、端末内でネガフィルムの現像、読み取り、情報記録媒体への書き込みを行うサービスもある。このようなフォトサービスについては特開２００１−６６７０７号公報に記載されている。
【０００３】
また、デジタルカメラを扱う顧客でも、デジタルカメラで撮影した画像データを記録した情報記録媒体のバックアップをＣＤ−Ｒ等の別の情報記録媒体に行いたいというニーズがあり、この情報記録媒体への記録を注文店舗で代行するようなサービスも行われている。更に、画像データと共に、画像データを表示するためのアプリケーション（画像表示用プログラムやスライドショープログラム）を情報記録媒体に書き込んで顧客に提供するサービスも行われている。
【０００４】
【特許文献１】
特開２００１−６６７０７号公報（第３−４頁）
【０００５】
【発明が解決しようとする課題】
上記サービスを利用することにより、カメラで撮影した写真画像をコンピュータ端末で鑑賞することができるが、画像データを閲覧するためにはコンピュータ端末が必須であるために閲覧場所が限定されてしまい、また、コンピュータ端末では機器が立ち上がるまで時間がかかるために気軽に画像データを楽しむことはできないという問題がある。
【０００６】
一方、最近ではポケットに入る程度の小型、薄型、軽量のデジタルカメラが低価格で提供されるようになってきており、また、写真がコミュニケーションのツールとして利用されるようになってきていることから、デジタルカメラやデジタルカメラ機能を備えた携帯機器等の画像表示装置を持ち歩く顧客が増えてきている。
【０００７】
上記サービスで得られた画像データをデジタルカメラ等を利用して閲覧することができれば、場所や時間に拘束されず、気軽に画像データを楽しむことができるし、居間に置いてあるテレビ等にデジタルカメラのような簡易な再生装置を接続して大人数で閲覧することもできるが、上記サービスで提供される情報記録媒体はコンピュータ端末用に作成されるものであるためデジタルカメラで使用することができず、また、この情報記録媒体に記録された画像データはコンピュータ端末で閲覧することを前提にして作成されているため、データフォーマットやファイルサイズ、ディレクトリ構造等の形式がデジタルカメラに適合しておらず、そのままではデジタルカメラで利用することはできない。又、テレビ等で見る場合には必ずしも高解像度の画素数の画像データは必要なく観賞に十分な画素数にすることで、より多くの画像データを情報記録媒体に記録できる。
【０００８】
本発明は、上記問題点に鑑みてなされたものであって、その主たる目的は、カメラで撮影した画像データを、コンピュータ端末でもデジタルカメラでも閲覧可能とする情報記録媒体及び画像データの記録方法並びに画像データ記録プログラムを提供することにある。
【０００９】
【問題を解決するための手段】
上記目的を達成するため、本発明の情報記録媒体は、画像データと、コンピュータを、前記画像データを前記コンピュータで表示される条件に基づいて他の画像再生装置で再生可能な形式に変換し、変換された前記画像データを該画像再生装置に装着可能な情報記録媒体に記録する手段として機能させる画像データ記録プログラムとが記録されているものである。
【００１０】
また、本発明の情報記録媒体は、画像データと、コンピュータを、表示手段により前記画像データを基にした画像をスライド表示させる手段として機能させるスライドショープログラムと、コンピュータを、前記画像データを前記コンピュータで表示される条件に基づいて他の画像再生装置で再生可能な形式に変換し、変換された前記画像データを該画像再生装置に装着可能な情報記録媒体に記録する手段として機能させる画像データ記録プログラムとが記録されているものである。
【００１１】
また、本発明の情報記録媒体は、画像データと、楽曲音声データと、コンピュータを、表示手段により前記画像データを基にした画像をスライド表示させ、かつスピーカーにより前記スライド表示と同時に前記楽曲音声データを基にした楽曲音声を発声させる手段として機能させるスライドショープログラムと、コンピュータを、前記画像データを前記コンピュータで表示される条件に基づいて他の画像再生装置で再生可能な形式に変換し、変換された前記画像データを該画像再生装置に装着可能な情報記録媒体に記録する手段として機能させる画像データ記録プログラムとが記録されているものである。
【００１２】
本発明においては、前記画像再生装置で再生可能な形式は、該画像再生装置に適合するデータフォーマット、データサイズ、画素数、ディレクトリ構造のいずれか一を含むことが好ましい。
【００１３】
また、本発明においては、前記画像データは、デジタルカメラで撮影したものでも良いし、フィルムやプリントをスキャンして得られたものでも良く、前記画像再生装置はデジタルカメラ又はデジタルカメラ機能を備えた携帯機器とすることができる。
【００１４】
また、本発明の画像データの記録方法は、コンピュータで読み取り可能な第１の情報記録媒体に記録されている画像データ記録プログラムを用いて、該第１の情報記録媒体に記録されている画像データを、前記コンピュータで表示される条件に基づいて、他の画像再生装置で再生可能な形式に変換し、該画像再生装置に装着可能な第２の情報記録媒体に記録するものである。
【００１５】
また、本発明のプログラムは、コンピュータを、第１の情報記録媒体から画像データを読み取る手段、表示手段により前記画像データを基にした画像をスライド表示させる手段、前記画像データを、前記コンピュータで表示される条件に基づいて、他の画像再生装置で再生可能な形式に変換する手段、変換された前記画像データを該画像再生装置に装着可能な第２の情報記録媒体に記録する手段として機能させるものである。
【００１６】
また、本発明のプログラムは、コンピュータを、第１の情報記録媒体から画像データ及び楽曲音声データを読み取る手段、表示手段により前記画像データを基にした画像をスライド表示させ、かつスピーカーにより前記スライド表示と同時に前記楽曲音声データを基にした楽曲音声を発声させる手段、前記画像データを、前記コンピュータで表示される条件に基づいて、画像再生装置で再生可能な形式に変換する手段、変換された前記画像データを該画像再生装置に装着可能な情報記録媒体に記録する手段として機能させるものである。
【００１７】
このように、本発明の構成によれば、顧客が持ち込んだフィルム等から画像データが読み取られ、少なくとも画像データと画像データ記録プログラムとがコンピュータ端末で再生可能な第１の情報記録媒体に記録されて顧客に提供され、この第１の情報記録媒体に記録された画像データ記録プログラムにより、画像データがデジタルカメラで再生可能な形式に変換されてデジタルカメラに装着可能な第２の情報記録媒体に記録されるため、画像データを、コンピュータ端末でもデジタルカメラでも閲覧することが可能となる。
【００１８】
【発明の実施の形態】
本発明に係るコンピュータ端末用の情報記録媒体（第１の情報記録媒体）は、その好ましい一実施の形態において、ネガフィルムから読み取った画像データと、画像データをスライド表示するスライドショープログラム及び画像データをデジタルカメラ用に変換してデジタルカメラ用の第２の情報記録媒体に記録するデータ記録プログラムとを含むアプリケーションと、必要に応じてスライド表示に際して再生される楽曲音声データとが記録されているものであり、第１の情報記録媒体を受け取った顧客は、コンピュータ端末が設置されている場所では、第１の情報記録媒体を用いて画像データをＢＧＭ付きスライドショーとして閲覧することができ、コンピュータ端末が設置されていない場所では、データ記録プログラムを用いて第２の情報記録媒体を作成し、デジタルカメラを用いて画像データを閲覧することができる。従って、場所や時間に拘束されずに顧客の使用形態に合わせて写真画像を楽しむことができる。
【００１９】
【実施例】
上記した本発明の実施の形態についてさらに詳細に説明すべく、本発明の一実施例に係る情報記録媒体及び画像データの記録方法並びに画像データ記録プログラムついて、図１乃至図９を参照して説明する。図１は、本発明の一実施例に係る情報記録媒体作成システムの構成を模式的に示す図であり、図２は、本実施例の情報記録媒体の作成手順を示すフローチャート図である。また、図３は、情報記録媒体に記録されるアプリケーションにより機能する手段を示す図であり、図４は、アプリケーションによる処理手順を示すフローチャート図である。また、図５乃至図７は、本アプリケーションで表示される画面構成例を示す図であり、図８及び図９は、情報記録媒体のディレクトリ構造例を示す図である。
【００２０】
図１に示すように、本実施例の情報記録媒体作成システム１は、画像データを提供し、コンピュータ端末２ａ又はデジタルカメラ９で画像データを閲覧する顧客２と、コンピュータ端末２ａ用の第１の情報記録媒体５の注文及び画像データと同時に再生する楽曲の選択を行うコンビニアンスストア等の注文店舗３と、注文店舗３から画像データと楽曲の指定情報を受け取り、画像データと楽曲音声データとアプリケーションプログラムとを組にしてコンピュータで読み取り可能な状態でＣＤ−Ｒ等の第１の情報記録媒体５に書き込むラボ４とから構成される。
【００２１】
この第１の情報記録媒体５に記録されるアプリケーションプログラムには、コンピュータ端末２ａでスライドショーを実行するためのスライドショープログラムと、第１の情報記録媒体５に記録された画像データをデジタルカメラ９用に変換して第２の情報記録媒体８に記録するための画像データ記録プログラムとが含まれている。また、コンピュータ端末２ａには、様々なメーカで製造されるデジタルカメラで用いられる各種形態の第２の情報記録媒体８を装着可能なスロットを備えている。
【００２２】
また、ラボ４には、顧客２から提供された未現像ネガフィルム６を現像する現像手段４ａと、現像した写真を読み取ってデジタルデータに変換する読み取り手段４ｂと、第１の情報記録媒体５にデータやアプリケーションプログラムを書き込む書き込み手段４ｃと、楽曲音声データやアプリケーションプログラムを記憶する記憶手段４ｄとを備えている。上記各手段は別々に構成されていてもよく、現像手段４ａと読み取り手段４ｂ等の２以上の手段が一体的に構成されていてもよい。また、読み取り手段４ｂで読み取った画像データを基にして、通常のプリントを作成するプリンタを設けてもよい。このプリンタとしては、特に種類を問わず、インクジェットタイプ、電子写真タイプ、銀塩タイプ等種々のものを用いることができる。
【００２３】
なお、以下では、コンビニエンスストアで第１の情報記録媒体５の注文を行う場合を例にして説明するが、注文店舗３としてはコンビニエンスストアに限らず、顧客２からのフィルムの現像、プリントの依頼を受注する任意の店舗でよく、又、注文店舗３を経由せずにラボ４に直接、第１の情報記録媒体５の注文を行う構成としてもよい。また、本実施例では、スライドショープログラム及びスライドショーにおいて画像データと共に再生する楽曲音声データも第１の情報記録媒体５に書き込む構成としているが、スライドショープログラムや楽曲音声データは必ずしも必要ではなく、画像データと画像データ記録プログラムのみを第１の情報記録媒体５に書き込む構成としてもよい。
【００２４】
また、顧客２は画像データを未現像のネガフィルム６として提供する場合を主に説明するが、現像済みのネガフィルムやポジフィルム（現像済みでも未現像でも可）、プリントやデジタルカメラで取得した画像データを記録したコンパクトフラッシュ（登録商標）やスマートメディア、メモリースティック（登録商標）、マルチメディアカード、ＳＤメモリーカードなどのメモリーカードやＣＤ−Ｒ、ＤＶＤ＋Ｒ、ＤＶＤ−Ｒ、ＤＶＤ・ＲＡＭなどの情報記録媒体を提供しても良い。
【００２５】
上記構成の情報記録媒体作成システム１を用いて、顧客２が未現像ネガフィルム６やデジタルカメラ等の画像データが収められている前述の情報記録媒体を提供してから画像データと楽曲音声データとスライドショープログラム及び画像データ記録プログラム等のアプリケーションプログラムとが書き込まれた第１の情報記録媒体５を入手し、デジタルカメラ９用の第２の情報記録媒体８を作成するまでの手順について、図２のフローチャート図を参照して説明する。
【００２６】
まず、ステップＳ１０１において、顧客２はフィルムカメラで撮影した未現像ネガフィルム６やデジタルカメラの画像データが記録されている情報記録媒体をコンビニエンスストア等の注文店舗３に持ち込む。この未現像ネガフィルム６に記録されている写真画像は顧客２自らが撮影したものであっても良く、他の顧客が撮影したものでも良い。また、カメラで撮影して取得した画像情報に限らず、インターネット等の通信ネットワークを介して取得した画像データや、画像加工ソフトウェアを使用して顧客２が加工した画像データやこれらが混在したものであっても良い。
【００２７】
次に、ステップＳ１０２において、顧客２は注文店舗３で第１の情報記録媒体５の作成依頼を行う。ここで、顧客２が未現像ネガフィルム６を持ち込む場合は、通常、未現像ネガフィルム６に記録された写真の全てを第１の情報記録媒体５に書き込むことになるが、現像済みのネガフィルムや画像データが記録された他の情報記録媒体を持ち込む場合は、記録された写真の一部のみを用いることもできる。そこで、ステップＳ１０３で顧客２が画像データの選択を行う場合は、ステップＳ１０４で、現像済みのネガフィルムのコマ番号や情報記録媒体のファイル名等を指定して第１の情報記録媒体５に書き込む画像データの選択を行う。
【００２８】
次に、ステップＳ１０５において、顧客２は、スライドショーのＢＧＭとして流す楽曲音声データを選択するか否かを判断する。本実施例では、楽曲音声データはラボ４の記憶手段４ｄに記憶されており、楽曲音声データを選択する場合は、注文店舗３のカウンターに楽曲音声データに対応する楽曲の一覧を設けておき、ステップＳ１０６で、顧客２は一覧の中から所望の楽曲を指定する。なお、楽曲音声データは必ずしも選択する必要はなく、予め定められた楽曲音声データを用いてもよい。また、楽曲音声データはラボ４内に記憶されたものに限らず、予め定められた形式の楽曲音声データを顧客２が持参して提供してもよく、顧客２が音楽ＣＤ等から取得した楽曲音声データ、インターネット等の通信ネットワークを介して取得した楽曲音声データ等をＢＧＭとして使用することも可能である。
【００２９】
そして、ステップＳ１０７において、注文店舗３は顧客２が持ち込んだ未現像ネガフィルム６と楽曲の指定情報（楽曲を選択した場合）と注文票とをラボ４に送る。ラボ４では、画像データを未現像ネガフィルム６として受け取った場合（ステップＳ１０８）は、ステップＳ１０９で現像手段４ａを用いて現像し、ネガフィルムをスキャナ等の読み取り手段４ｂを用いてデジタルデータに変換する。また、画像データを現像済みのネガフィルムとして受け取った場合は、読み取り手段４ｂを用いてデジタルデータに変換する。
【００３０】
そして、ステップＳ１１０において、楽曲の指定情報に対応する楽曲音声データ又は予め定められた楽曲音声データとスライドショープログラム及び画像データ記録プログラムを含むアプリケーションプログラムとを記憶手段４ｄから読み出し、読み取り手段４ｂで読み取った画像データと共にコンピュータで読み取り可能な状態でＣＤ−Ｒ等の第１の情報記録媒体５に書き込む。
【００３１】
この第１の情報記録媒体５に記録されるデータ及びアプリケーションのディレクトリ構造は、例えば、図８に示すようになり、第１の情報記録媒体５に記録されたデータをコンピュータ端末２ａで認識し自動的に再生するための情報ファイル（Ａｕｔｒｕｎ．ｉｎｆ）及び（又は）実行ファイル（Ａｕｔｒｕｎ．ｅｘｅ）と、画像データを格納するフォルダ（ＤＣＩＭ）と、スライドショープログラム及び画像データ記録プログラムを格納するアプリケーションプログラム格納フォルダ（Ｐｈｏｔｏｖｉｅｗｅｒ）と、スライドショーでＢＧＭとして再生する楽曲音声データを格納するフォルダ（ＢＧＭ＿ＰＣ）とから構成され、画像データの格納フォルダには、ロット毎の画像データを格納するフォルダ（１０００１ｃｅ、１０１０１ｃｅ等）が形成され、各々のフォルダには画像データ（Ｒ１０００００１．ｊｐｇ等）と対応するサムネイルデータ（Ｔ１０００００１．ｊｐｇ等）が形成される。
【００３２】
その後、ステップＳ１１１において、ラボ４は画像データと楽曲音声データとアプリケーションプログラムとを記録した第１の情報記録媒体５と現像済みネガフィルム７とを注文店舗３に送付し、ステップＳ１１２で注文店舗３から顧客２に提供する。
【００３３】
そして、ステップＳ１１３で、第１の情報記録媒体５を受け取った顧客２は、コンピュータ端末２ａを用いて第１の情報記録媒体５に記録されているスライドショープログラムを起動し、未現像ネガフィルム６から読み取った画像データと楽曲音声データとが同時に再生されるスライドショーを実行し、また、画像データ記録プログラムを用いて、スライドショーで表示した画像データや任意に選択した画像データをデジタルカメラ９用に変換してデジタルカメラ専用の第２の情報記録媒体８に記録する。
【００３４】
このように、第１の情報記録媒体５に、少なくとも画像データと画像データ記録プログラムとを記録して顧客２に提供することにより、顧客２は画像データをデジタルカメラ９で再生することを望む場合には、画像データ記録プログラムを用いてデジタルカメラ用に変換して第２の情報記録媒体８に記録することができるため、顧客２はコンピュータ端末２ａでもデジタルカメラ９でも未現像ネガフィルム６から得られた画像データを閲覧することができる。
【００３５】
次に、図３乃至図９を参照して、本実施例のアプリケーションプログラムの具体的な機能、動作について詳細に説明する。
【００３６】
図３に示すように、本実施例のアプリケーションプログラムは、コンピュータを、顧客２が提供した複数の画像データを縮小してアルバム状に表示するアルバム表示手段１０ａ、画像データをデジタルカメラ９で再生可能な形式に変換するデータ変換手段１０ｂ、デジタルカメラ９用の第２の情報記録媒体８を装着可能なスロットを用いて変換した画像データを第２の情報記録媒体８に記録する画像データ記録手段１０ｃ、画像データと楽曲音声データとを関連づけてスライド表示するスライドショー表示手段１０ｄ、スライドショー条件の設定を行うスライドショー条件設定手段１０ｅ、楽曲音声データを分析して画像データの表示タイミングを調整する楽曲音声データ分析手段１０ｆ、画像データを分析して特徴を抽出し、画像データに合った楽曲音声データを選択する画像データ分析手段１０ｇとして機能させることができる。
【００３７】
なお、図３では、アプリケーションプログラムをスライドショー表示と画像データ変換とを実行できる一体型のプログラムとして記載しているが、これらを別々のプログラムとして第１の情報記録媒体５に記録してもよい。また、本実施例のアプリケーションプログラムは、コンピュータをこれらの全ての手段として機能させる必要はなく、少なくとも、データ変換手段１０ｂ、画像データ記録手段１０ｃ、スライドショー表示手段１０ｄとして機能させればよく、また、上記以外の公知の手段を付加して機能させる構成としてもよい。
【００３８】
上記アプリケーションプログラムの動作について、図４のフローチャート図、図５乃至図７の画面構成例、図８及び図９のディレクトリ構造例を参照して説明する。ここではアプリケーションプログラムを、コンピュータを、画像データの変換手段及びスライドショー表示手段に加えて、画像データの加工やプリント、電子メール等の手段として機能させることができるものとして説明する。
【００３９】
まず、ステップＳ２０１において、顧客２がコンピュータ端末２ａに本実施例の第１の情報記録媒体５を挿入すると、自動的にアプリケーションプログラムが起動し、図５に示すような画像一覧表示画面１１が表示される。この画面には、例えば、未現像ネガフィルム６のコマ画像データ１３が集合した画像データ群１２と、選択した画像データ群１２やコマ画像データ１３に対して施す処理を明示したスイッチ１４ａ〜１４ｆとが表示される。なお、各々の画像データ群１２には、画像データの元となるフィルム等の媒体を識別しやすいように、媒体のイラストと撮影の日付や通し番号等を含むタグ１２ａが表示され、タグ１２ａを選択するとその画像データ群１２が前面に浮き出るように表示される。
【００４０】
次に、ステップＳ２０２において、顧客２は表示された画像データ群１２やコマ画像データ１３に対して行う処理を選択し、対応するスイッチ１４ａ〜１４ｆをマウスでクリックすると、各々の処理に対応した画面が表示される。例えば、「画像加工」を選択すると、明るさ調整や色調整等を行うことができ、「電子メール」を選択すると、電子メールに添付する画像データのサイズの指定や、電子メールの入力画面が表示され、選択した画像データが添付された電子メールが指定したアドレス送信され、「保存」を選択すると、保存先のディレクトリが表示されて指定したディレクトリに画像データが保存され、「プリント」を選択すると、指定されたプリンタに選択した画像データが印刷される。
【００４１】
なお、ここではスライドショープログラムが起動した場合に画像一覧表示画面１１が自動的に起動する場合について述べるが、第１の情報記録媒体５が挿入されると、後述するスライドショー編集画面１６が表示され、任意のキー又は指定したキーが押された場合や、一通りの再生が終了した場合などに画像一覧表示画面１１が表示されるようにしてもよい。
【００４２】
前記したステップＳ２０２で、画像一覧表示画面１１の中から画像データ群１２やコマ画像データ１３を任意に選択して「デジタルカメラで再生」スイッチ１４ｅを押すと、例えば、図６に示すような画像データの形式を選択するデータ形式選択画面１５が表示される。
【００４３】
ここで、デジタルカメラの記憶形式としては社団法人・日本電子工業振興協会により定められているＤＣＦ（Ｄｅｓｉｇｎ　ｒｕｌｅ　ｆｏｒ　Ｃａｍｅｒａ　Ｆｉｌｅ　ｓｙｓｔｅｍ）があり、一般的なデジタルカメラには通常採用されているものである。このＤＣＦの内容にはベンダーユニーク機能と呼ばれるようにメーカが独自に記述できる部分もあり、各メーカの仕様に合わせてデジタルカメラで画像データを再生できるようにするためにはこのような記述を利用する必要がある場合が存在する。
【００４４】
また、例えば、顧客２がデジタルカメラ９を用いて画像データを再生する場合、現在、一般家庭の地上波放送で用いられているテレビで再生する場合、ＶＧＡ（６４０画素×４８０画素）程度、ハイビジョン系のテレビを用いたとしてもＸＧＡ（１０２４画素×７６８画素）の画素数があれば十分であり、パーソナルコンピュータでも用いているパーソナルコンピュータで設定している画面解像度以上の不要な画素数を記憶しないことで記録媒体に記録できるコマ数を増やすことが可能であり、容量の小さな記録媒体でも十分に楽しむことが可能となる。これは図に示すように再生したい装置に合わせて、ＶＧＡ相当、ＳＶＧＡ（８００画素×６００画素）相当、ＸＧＡ相当、テレビ（ＴＶ）、ハイビジョンテレビ（ＨＤ−ＴＶ）などのように指定すればよい。ここでＶＧＡ相当のように言っているのは、例えば元の画像の画素数が３００６画素×２５６０画素の場合、６４０画素に合わせるともう一辺の画素が約５４５画素となるが、このような場合は５４５画素で記録しても良いし、余分となってしまう画素を上下ほぼ均等にカットして４８０画素にして記憶しても良い。
【００４５】
また、このような方法の他にもｊｐｅｇで用いられるような画像圧縮方法では、画質の劣化さえ問題なければ圧縮率を上げて画像データを記録媒体に記録することにより、一コマあたりのデータサイズが小さくなるため、大量の画像を記録することが可能となる。例えば図６の１５ｃに示すように高画質、標準、高圧縮率などのようにモードを示して顧客２に選択させるようにしても良い。
【００４６】
具体的には、ステップＳ２０３で、顧客２は、デジタルカメラ９で再生を行いたいデータがある場合には、使用するデジタルカメラメーカの指定を行う。ここで人に画像データを渡して再生する場合には渡した先のデジタルカメラがわからない場合もあり、前述のベンダーユニーク機能を使用しない形式であるＤＣＦ標準を選択すればよい。続いてどのような画素数で再生したいかを設定できる表示画像サイズ、圧縮率を選択することが可能となる。
【００４７】
なお、図では、カメラメーカ選択欄１５ａを記載しているが、カメラメーカが設定するデータの形式が機種によって異なる場合には、カメラメーカを選択すると該メーカで取り扱っているデジタルカメラの機種が表示され、顧客２が機種を選択できるようにしたり、デジタルカメラ９で複数のデータ形式の画像データを読み取り可能な場合は、カメラメーカを選択するとデータ形式の選択を促す画面が表示され、顧客２が所望の形式を選択できるようにしてもよい。
【００４８】
その後、顧客２は、コンピュータ端末２ａのスロットに顧客２が所有するデジタルカメラ９に適合する第２の情報記録媒体８を挿入し、データ形式選択画面１５の実行スイッチを押すと、コンピュータ端末２ａでは、画像データ記録手段１０ｃによりスロットに挿入された第２の情報記録媒体８に所定の形式に変換された画像データを書き込む。なお、第２の情報記録媒体８の種別によって画像データの形式が一義的に決定できる場合は、第２の情報記録媒体８をスロットに挿入すると、コンピュータ端末２ａが自動的に媒体を判別し、データ変換手段１０ｂでは画像データをその媒体で決定される形式に自動的に変換する構成とすることもできる。
【００４９】
このようにして画像データが記録された第２の情報記録媒体８は、例えば、前述のカメラメーカでコニカを指定した場合、図９に示すようなディレクトリ構造となり、画像データを格納するフォルダの下に、選択された画像データがデジタルカメラ９で読み取り可能な形式（データフォーマット、画素数、データサイズ）に変換されて書き込まれる。
【００５０】
そして、顧客２は、所望のデータ形式に変換された画像データが記録された第２の情報記録媒体８をデジタルカメラ９に挿入すると、未現像ネガフィルム６から得られた画像データをデジタルカメラ９で閲覧することができ、場所や時間に拘束されずに、自由に画像データを楽しむことができる。
【００５１】
上記ステップは、画像一覧表示画面１１を用いて選択した画像データをデジタルカメラ用の形式に変換する場合であるが、本実施例のアプリケーションプログラムにはスライドショープログラムが含まれており、コンピュータ端末２ａの画面上でスライドショーとして表示し、スライド表示された画像データ一式をそのままデジタルカメラ用の形式に変換することもできる。その場合について説明する。
【００５２】
前記したステップＳ２０２で「スライドショー」を選択すると、例えば、図７に示すようなスライドショー編集画面１６が表示される。このスライドショー編集画面１６には、例えば、前記した画像データ群１２及び各々のコマ画像データ１３が表示される領域と、スライド間隔やスライド切り替え効果等のスライド効果設定領域１６ａと、画像データと共に再生する楽曲音声データを選択するＢＧＭ設定領域１６ｂと、スライド表示するコマ画像データ１３を表示順に並べた選択画像表示領域１６ｃとが表示される。
【００５３】
次に、顧客２は、ステップＳ２０６で、画像データ群１２の中からスライド表示を希望するコマ画像データ１３を選択する。選択の方法としては、コマ画像データ１３を一つ一つ指定する方法と、「全て選択」スイッチをクリックして画像データ群１２の全てのコマ画像データ１３を選択する方法とがあり、選択後、「決定」スイッチを押すと、選択されたコマ画像データ１３が選択画像表示領域１６ｃに表示される。なお、選択されたコマ画像データ１３は一つ一つ指定する場合は指定順に、全てを一括して選択する場合はデータ名に従って順番に表示され、この順でスライド表示されることになるが、選択画像表示領域１６ｃ内でコマ画像データ１３を移動させて表示順を変更することもできる。
【００５４】
次に、ステップＳ２０７で、顧客２はＢＧＭ設定領域１６ｂを操作してＢＧＭとして演奏する楽曲音声データを選択する。楽曲音声データの選択方法としては、例えば、第１の情報記録媒体５に記録されている楽曲音声データを使用する場合は「ＣＤのＢＧＭ」を選択し、他の音楽ＣＤやパソコンに記憶されている楽曲音声データやインターネットを介して楽曲音声データをダウンロードする場合は「他の音楽データ」を選択する。なお、楽曲音声データを設定する前に曲を確認する場合は、「曲だけ聞く」スイッチをクリックすると楽曲を再生することができる。
【００５５】
次に、ステップＳ２０８で、顧客２は、スライド効果設定領域１６ａを操作してスライド間隔やスライド切り替え効果等のスライド効果を設定する。例えば、スライド表示間隔として一枚一枚のスライドを表示する時間をプルダウンメニューの中から選択したり直接入力し、また、スライド切り替え効果として、プルダウンメニューを用いて、画像データを徐々に表示／消去するフェードイン／フェードアウトや画像データを徐々に拡大／縮小する効果や画面の上下左右から画像データを移動させる効果等の中から所望の効果を選択する。
【００５６】
図７のスライド効果設定画面１６ａには表示していないが、スライド効果として上記スライド間隔及びスライド切り替え効果の他に、スライドショーの背景画面を設定したり、表示する画像データの枠に装飾を施すこともできる。なお、ステップＳ２０６の画像データの選択と、ステップＳ２０７のＢＧＭの設定と、ステップＳ２０８のスライド効果の選択の順序はこの順に限らず、任意の順番で行うことができる。
【００５７】
その後、「スライドショー開始」スイッチをクリックすると、ステップＳ２０９で選択したコマ画像データ１３が、顧客２が設定した条件でスライド表示されると共に顧客２が選択した楽曲音声データがＢＧＭとして流れるスライドショーが実行される。このスライドショーに表示される画像データをデジタルカメラ９で見たい場合には、スライドショー編集画面１６に戻って、ステップＳ２１０で「デジタルカメラで再生」スイッチをクリックすると、ステップＳ２０３と同様に、図６に示すようなデータ形式選択画面１５が表示され、同様にカメラメーカやデータ形式等を選択すると、スライドショーで表示された画像データ一式がデジタルカメラ９用に変換されてスロットに挿入された第２の情報記録媒体８に記録される。なお、ステップＳ２０６で画像データを選択した後、スライドショーを実行せずに「デジタルカメラで再生」スイッチをクリックして画像データの変換、記録を行ってもよい。
【００５８】
このように、本実施例の情報記録媒体生成システム１では、コンピュータ端末２ａで再生するための第１の情報記録媒体５には、未現像フィルム６等から取得した画像データと楽曲音声データとスライドショープログラム及び画像データ記録プログラムを含むアプリケーションプログラムとが記録されており、顧客２はコンピュータ端末２ａではスライドショープログラムを用いて画像データと楽曲音声データとが同時に再生されるスライドショーを楽しむことができ、また、画像データ記録プログラムを用いて、デジタルカメラ９用の第２の情報記録媒体８にデジタルカメラ９用の形式（データフォーマット、データサイズ、ディレクトリ構造）に変換された画像データを記録することにより、スライドショーで表示した画像データや任意に選択した画像データをデジタルカメラ９を用いて再生することができる。
【００５９】
ここで、スライドショーに際し、単に画像データの表示と楽曲音声データの演奏を行うだけでなく、スライドショーの効果を高めるために、画像データの表示タイミングと楽曲音声データの演奏タイミングとに所定の関係を持たせることが好ましい。このような機能を有するスライドショープログラムとしては、本願出願人の先願（特願２００２−１３７８９号）において記載されているプログラムが好適である。この先願記載のプログラムについて以下に概説する。
【００６０】
先願記載のスライドショープログラムは、コンピュータを、楽曲音声データの演奏時間を演算する処理や楽曲音声データのテンポ、フレーズ、音声データ、休止符を抽出する処理、画像データの表示タイミングを設定する処理等を行う楽曲音声データ分析手段１０ｆや、画像データから特定の形状や色彩を抽出する処理、画像データの特徴を参照して画像データに適した楽曲音声データを選択する処理等を行う画像データ分析手段１０ｇとして機能させることができるものである。
【００６１】
そして、例えば、楽曲音声データの形式やサイズ、ヘッダ情報等から楽曲音声データの演奏時間を抽出し、その演奏時間を表示する画像データの数で割って１画像データ当たりの表示時間を演算し、楽曲音声データの演奏終了と同時に画像データの表示が終了するようにしたり、複数の楽曲音声データの演奏終了と同時に画像データの表示が終了するようにスライドショーを設定することができる。
【００６２】
また、楽曲音声データの強弱、周波数等から楽曲音声データのテンポを抽出し、楽曲音声データのテンポに合わせてスライド効果の時間（例えば、フェードイン／フェードアウトの時間）を設定し、テンポの速い楽曲の場合はスライド効果を早くし、逆にテンポの遅い楽曲の場合はスライド効果の時間を長くして、楽曲のテンポとスライド効果との整合を図ることもできる。
【００６３】
また、楽曲音声データの強弱、周波数等から楽曲音声データの音声データや休止符を抽出して楽曲をフレーズ毎に分割し、例えば、１フレーズに１枚の画像データが表示されるようにスライドショーを設定することもでき、楽曲音声データのフレーズと画像データの表示とを同期させることにより、楽曲と画像との一体感が生まれ、スライドショーの効果を高めることもできる。
【００６４】
また、画像データに画像処理を施して特定の形状や特定の色彩を抽出して写真撮影の情景を推測し、その情景に合致した楽曲音声データを予め記録された楽曲音声データの中から選択して演奏することにより、顧客２は楽曲音声データを選択しなくても適切な楽曲がＢＧＭとして演奏されるスライドショーを楽しむこともできる。
【００６５】
なお、上記実施例では、第２の情報記録媒体８に記録した画像データをデジタルカメラ９で再生する構成としたが、本発明は上記実施例に限定されるものではなく、任意の画像表示装置や表示機能を備えた携帯機器で再生する構成とすることもできる。例えば、画像データをデジタルカメラ付き携帯電話機に適した形式に変換して、該携帯電話機に挿入可能な情報記録媒体に記録したり、コンピュータ端末２ａと携帯電話機とをコードで接続して変換した画像データを送信したり、コンピュータ端末２ａに備える通信機能を用いて、変換した画像データを無線基地局を介して携帯電話機に送信する構成とすることもできる。
【００６６】
【発明の効果】
以上説明したように、本発明の情報記録媒体及び画像データの記録方法並びに画像データ記録プログラムによれば、顧客はフィルムカメラで撮影したフィルム等を提供するのみで、画像データをコンピュータ端末でもデジタルカメラでも再生することができる。
【００６７】
その理由は、フィルムの現像を行うラボ等のフォトサービス店舗で、フィルムから読み取った画像データと、必要に応じて楽曲音声データと、画像データと楽曲音声データとを同時に再生するスライドショープログラム及び画像データをデジタルカメラ用の形式に変換して第２の情報記録媒体に記録する画像データ記録プログラムとが第１の情報記録媒体に記録されて顧客に提供されるため、顧客は、コンピュータ端末ではスライドショープログラムを用いて画像データを再生することができ、画像データ記録プログラムを用いて画像データをデジタルカメラ用に変換して第２の情報記録媒体に記録すれば、デジタルカメラでも画像データを閲覧することができるからである。かつ、画像サイズやデータサイズを最適化することで記録できる画素数を増やすことができ、より顧客は多くの画像を楽しむことが可能となる。
【図面の簡単な説明】
【図１】本発明の一実施例に係る情報記録媒体作成システムの構成を模式的に示す図である。
【図２】本発明の一実施例に係る情報記録媒体の作成手順を示すフローチャート図である。
【図３】本発明の一実施例に係るアプリケーションプログラムにより機能する手段を示すブロック図である。
【図４】本発明の一実施例に係るアプリケーションプログラムによる処理手順を示すフローチャート図である。
【図５】本発明の一実施例に係るアプリケーションプログラムで表示される画面構成例（画像一覧表示画面）を示す図である。
【図６】本発明の一実施例に係るアプリケーションプログラムで表示される画面構成例（データ形式選択画面）を示す図である。
【図７】本発明の一実施例に係るアプリケーションプログラムで表示される画面構成例（スライドショー編集画面）を示す図である。
【図８】本発明の一実施例に係る第１の情報記録媒体のディレクトリ構造を示す図である。
【図９】本発明の一実施例に係る第２の情報記録媒体のディレクトリ構造を示す図である。
【符号の説明】
１　情報記録媒体作成システム
２　顧客
２ａ　コンピュータ端末
３　注文店舗
４　ラボ
４ａ　現像手段
４ｂ　読み取り手段
４ｃ　書き込み手段
４ｄ　記憶手段
５　第１の情報記録媒体
６　未現像ネガフィルム
７　現像済みネガフィルム
８　第２の情報記録媒体
９　デジタルカメラ
１０ａ　アルバム表示手段
１０ｂ　データ変換手段
１０ｃ　画像データ記録手段
１０ｄ　スライドショー表示手段
１０ｅ　スライドショー条件設定手段
１０ｆ　楽曲音声データ分析手段
１０ｇ　画像データ分析手段
１１　画像一覧表示画面
１２　画像データ群
１２ａ　タグ
１３　コマ画像データ
１４ａ〜１４ｆ　スイッチ
１５　データ形式選択画面
１５ａ　カメラメーカ選択欄
１５ｂ　表示画素数選択欄
１５ｃ　圧縮率選択欄
１６　スライドショー編集画面
１６ａ　スライド効果設定領域
１６ｂ　ＢＧＭ設定領域
１６ｃ　選択画像表示領域
【図１】
2004104675.tif 000003
【図２】
2004104675.tif 000004
【図３】
2004104675.tif 000005
【図４】
2004104675.tif 000006
【図５】
2004104675.tif 000007
【図６】
2004104675.tif 000008
【図７】
2004104675.tif 000009
【図８】
2004104675.tif 000010
【図９】
2004104675.tif 000011